(57)【要約】【課題】  竜頭が過度に引き動かされことを妨げるロック部材が不用意に動かされてもその回復が容易で、ロック部材による竜頭の不用意な移動止め機能を長期間維持する。【解決手段】  腕時計10は、胴16、竜頭25、プロテクター、及びロック機構35を具備する。胴16に巻真パイプ22を取付ける。竜頭25は巻真パイプ22とは結合関係を持たない竜頭ヘッド27を有する。この竜頭25を巻真パイプ22にこのパイプの軸方向に移動可能に支持する。プロテクター31を、竜頭ヘッド27の操作を許容するようにこの竜頭ヘッド27の端面と対向して胴16に取付ける。ロック機構35をプロテクター31に操作可能に設ける。ロック機構35は、螺旋体37及びこの螺旋体37の回転により竜頭ヘッド27の端面に接離される方向に直線運動するロック部材38を有する。ロック機構35は、ロック部材38を竜頭25が引き動かされる操作を許すロック位置と竜頭25が引き動される操作を制限するロック解除位置とにわたって移動させる。【選択図】      図４
2008076068.tif 000002
【特許請求の範囲】
【請求項１】
巻真パイプが取付けられた胴と、
前記巻真パイプとは結合関係を持たない竜頭ヘッドを有して前記巻真パイプにこのパイプの軸方向に移動可能に支持された竜頭と、
前記竜頭ヘッドの操作を許容するようにこの竜頭ヘッドの端面と対向して前記胴に取付けられたプロテクターと、
このプロテクターに操作可能に設けられるとともに、螺旋体及びこの螺旋体の回転により前記竜頭ヘッドの端面に接離される方向に直線運動するロック部材を有し、このロック部材を前記竜頭が引き動かされる操作を許すロック位置と前記竜頭が引き動かされる操作を制限するロック解除位置とにわたって移動させるロック機構と、
を具備した携帯時計。
【請求項２】
前記プロテクターに回り止め部を設け、
前記ロック機構が、前記竜頭ヘッドの端面に接離する方向の移動を制限されて前記プロテクターに回転可能に取付けられた円形状をなす手回し式の操作部と、この操作部に連結された前記螺旋体と、この螺旋体に螺合されるとともに前記回り止め部で回り止めされた前記ロック部材とを有した請求項１に記載の携帯時計。
【請求項３】
前記胴の高さ方向に沿う前記プロテクターの幅を前記竜頭ヘッドの直径より小さくするとともに、前記操作部の直径を前記プロテクターの幅以下にした請求項２に記載の携帯時計。
【請求項４】
弾性部材を前記ロック部材又は前記竜頭ヘッドの端面に取付けた請求項１から３の内のいずれか一項に記載の携帯時計。
【発明の詳細な説明】
【技術分野】
【０００１】
本発明は、腕時計や懐中時計等のように携帯して使用される時計に関する。
【背景技術】
【０００２】
従来、一般的に腕時計では時刻合わせ等の竜頭操作をする場合、竜頭はこれを引き動かした上で回転操作される。このため、腕時計には、落下したとき等に腕時計に加わる衝撃で、竜頭が引き動かされる方向に不用意に竜頭が移動されないようする工夫が採用されている。
【０００３】
この工夫の一例としてねじロック式の竜頭構造が知られている。この竜頭構造では、胴に取付けられた巻真パイプの胴外面から突出した胴外パイプ端部の外周に雄ねじ部を形成するとともに、巻真パイプの軸方向に移動可能に巻真パイプに取付けられた竜頭が有した竜頭ヘッドの内周に雌ねじ部を形成している。そして、竜頭を締め込み方向に回転させて雌ねじ部を雄ねじ部に螺合させることによって竜頭をロックし、この逆に竜頭を弛み方向に回転させて前記螺合を解除することによって、竜頭の引き動かしとその後の回転操作を可能としている（例えば、特許文献１参照。）。
【０００４】
又、前記工夫の他の例として、竜頭に対して同軸に押動部材を配置し、これら竜頭及び押動部材の周囲にループを形成してなるあぶみ形状部材を胴側に取付け、このあぶみ形状部材にレバーの一端をピンにより回転可能に取付けた時計が知られている。レバーは押動部材を押し動かしてクロノグラフ機能を制御するために用いられる。このレバーの中間部は押動部材と協働するための接点を有し、レバーの他端は凹面形をした操作部となっている。この時計において時刻合せの際に引き動かすことができる竜頭には、レバーの中間部が接しているので、このレバーによって竜頭が引き動かし方向に不用意に移動することを抑制できる（例えば、特許文献２参照。）。
【特許文献１】実開平７−２６７９２号公報（段落０００１−００１２、図１−図２）
【特許文献２】特表２０００４−５０２９２５号公報（特許請求の範囲、段落０００１−００２４、図１−図２）
【発明の開示】
【発明が解決しようとする課題】
【０００５】
特許文献１に記載の時計は、その使用者が、竜頭を緩めてロックを外して時刻合わせ等のために竜頭を回転操作する状態で、誤って時計を落とすことが考えられる。こうして時計が衝撃を受けた場合、竜頭が不用意に引き動かされる方向に過度に移動されることがあり、それに伴い竜頭等が損傷する恐れが考えられる。
【０００６】
又、特許文献２に記載の時計では、竜頭が不用意に動かないようにレバーを静止状態に保持する力は、レバーとピンとの間の回転摺動部での摩擦係合力、又はピンとあぶみ形状部材との間の回転摺動部での摩擦係合力に依存しているが、レバーの回転操作に伴い前記回転摺動部での摩耗が次第に進行する。それにより、例えば長期にわたる使用等で前記摩擦係合力が低下した状態になった場合、それを回復することは、修理をしない限り困難である。そして、こうした条件下で時計が衝撃を受けると、一挙にレバーが回転されるので、それに伴って竜頭が不用意に引き動かされる方向に過度に移動されることは妨げることができない。
【０００７】
本発明の目的は、竜頭が過度に引き動かされないようにするロック部材が不用意に動かされてもその回復が容易で、かつロック部材による竜頭の不用意な移動止め機能を長期間維持できる時計を提供することにある。
【課題を解決するための手段】
【０００８】
本発明は、巻真パイプが取付けられた胴と、前記巻真パイプとは結合関係を持たない竜頭ヘッドを有して前記巻真パイプにこのパイプの軸方向に移動可能に支持された竜頭と、前記竜頭ヘッドの操作を許容するようにこの竜頭ヘッドの端面と対向して前記胴に取付けられたプロテクターと、このプロテクターに操作可能に設けられるとともに、螺旋体及びこの螺旋体の回転により前記竜頭ヘッドの端面に接離される方向に直線運動するロック部材を有し、このロック部材を前記竜頭が引き動かされる操作を許すロック位置と前記竜頭が引き動かされる操作を制限するロック解除位置とにわたって移動させるロック機構と、を具備している。
【０００９】
本発明では、ロック機構の操作によりロック位置に配置されたロック部材は、竜頭ヘッドの端面に近接ないしは接触するので、携帯時計が落下するなどにより衝撃を受けたときに、竜頭が引き動かされる方向に不用意に移動することを妨げる。ロック機構の操作によりロック解除位置に配置されたロック部材は、竜頭が引き動かされる操作を許すように竜頭ヘッドの端面から離されているので、この状態では竜頭を引き出して回転操作することが可能である。そして、この竜頭操作の際に誤って時計を落してこの時計に衝撃が加えられた場合、竜頭の最大引き出し量はロック解除位置のロック部材で制限されるので、竜頭が引き動かされる方向に、竜頭が過度に移動されることが妨げられる。
【００１０】
ロック部材は螺旋体の回転により直線運動するので、仮に、螺旋体が振動や衝撃等で不用意に回転されても、その回転に伴うロック部材の動きは螺旋体の螺旋のピッチに依存して極めて小さい。これにより、一挙にロック部材が移動されることがない。したがって、竜頭が引き動かされる方向に不用意に移動され得る状態となることが抑制されて、ロック部材による竜頭の不用意な移動止め機能を長期間にわたり維持できる。
【００１１】
しかも、螺旋体を回転させることにより、ロック部材を直線運動させて、この部材の位置を容易に変えることができる。このため、ロック部材がロック位置から不用意に移動された場合に、螺旋体を回転させてロック部材をロック位置に戻すことができる。すなわち、ロック部材が不用意に動かされた場合に、このロック部材を容易に戻すことができる。
【００１２】
本発明の好ましい形態では、前記プロテクターに回り止め部を設け、前記ロック機構が、前記竜頭ヘッドの端面に接離する方向の移動を制限されて前記プロテクターに回転可能に取付けられた円形状をなす手回し式の操作部と、この操作部に連結された前記螺旋体と、この螺旋体に螺合されるとともに前記回り止め部で回り止めされた前記ロック部材とを有する構成とすることができる。
【００１３】
更に、本発明の好ましい形態では、前記胴の高さ方向に沿う前記プロテクターの幅を前記竜頭ヘッドの直径より小さくするとともに、前記操作部の直径を前記プロテクターの幅以下にするとよい。
【００１４】
本発明の好ましい形態では、弾性部材を前記ロック部材又は前記竜頭ヘッドの端面に取付けるとよい。
【発明の効果】
【００１５】
本発明によれば、螺旋体及びこの螺旋体の回転により竜頭ヘッドの端面に接離される方向に直線運動をして竜頭が過度に引き動かされないようにするロック部材を有したロック機構を、プロテクターに操作可能に設けたので、ロック部材が不用意に動かされてもその回復が容易で、かつ、ロック部材による竜頭の不用意な移動止め機能を長期間維持できる時計を提供できる。
【発明を実施するための最良の形態】
【００１６】
以下、図１〜図５を参照して本発明の一実施形態を説明する。
【００１７】
図１中符号１０は携帯時計例えば腕に装着して使用される腕時計を示している。この腕時計１０が備える時計外装組立１１内には、図２及び図３に示すように表示針１２を駆動する時計ムーブメント１３、この時計ムーブメント１３に取付けられた文字板１４、及び時計ムーブメント１３を時計外装組立１１に保持する枠状部材１５等が収容されている。
【００１８】
時計外装組立１１は、図１〜図３に示すように好ましくは金属製で環状に作られた胴１６を備えており、この胴１６の厚み方向一面（正面）に連結した環状のガラス縁１７にカバーガラス１８を液密に装着するとともに、胴１６の厚み方向他面（裏面）に裏蓋１９を取外し可能に螺合して形成されている。カバーガラス１８を通して表示針１２及び文字板１４は視認可能である。なお、図２及び図３中符号２０は弾性を有するＯリング等の環状の防水パッキンを示している。
【００１９】
図１に示すように時計外装組立１１の１２時方向及び６時方向の夫々には部材取付け凸部１６ａが胴１６から一体に突設され、これらの部材取付け凸部１６ａにはバンドやベルト等の腕装着部材２１が夫々取付けられている。
【００２０】
１２時方向及び６時方向の部材取付け凸部１６ａ間、例えば時計外装組立１１の３時方向には胴１６を内外に貫通する通孔１６ｂが形成されている。図２〜図４に符号２２で示す巻真パイプは、その一部を胴１６の外部に突出させた状態で通孔１６ｂに挿入して、胴１６に取付けられている。巻真パイプ２２は例えば胴１６の外部から内部に向けて通孔１６ｂに圧入して固定されているが、これに代えて、ろう材を用いてろう付けすることもでき、或いは通孔１６ｂにねじ込んで接着剤を併用して固定してもよい。
【００２１】
図１〜図４に符号２５は金属製の竜頭を示している。竜頭２５は、竜頭軸２６と、この一端部に一体に形成された円形の竜頭ヘッド２７とから形成されている。竜頭軸２６の外周には弾性変形可能な材料からなる環状の防水パッキン２８が装着されている。竜頭ヘッド２７の内周と竜頭軸２６の竜頭ヘッド２７側部位の外周との間には環状溝２７ａが形成されている。
【００２２】
竜頭２５は、その竜頭軸２６を胴１６の外部から巻真パイプ２２に挿入して、この巻真パイプ２２に対して軸方向に移動可能でかつ周方向に回転可能に支持されている。この支持状態で防水パッキン２８は弾性変形して巻真パイプ２２の内周面に密接されているとともに、環状溝２７ａは巻真パイプ２２の胴外突出端部２２ａを遊嵌されている。したがって、竜頭ヘッド２７は巻真パイプ２２の胴外突出端部２２ａとは結合関係を持っていない。
【００２３】
竜頭２５の竜頭軸２６には巻真２９が例えば螺合により接続され、この巻真２９は時計ムーブメント１３に接続されている。この巻真２９を介して竜頭２５が引き動かされる操作及び回転される操作を時計ムーブメント１３に与えることができる。それにより、例えば図２及び図３に示す基準位置から竜頭２５を一段引き出して回転させる場合には、時刻合わせができる。更に、もう一段、竜頭２５を引き出せる（竜頭２５を前記基準位置から二段引き出せる）ようにした腕時計１０では、二段目の引き出し位置での竜頭２５の回転操作で曜日合わせをさせることが可能である。又、時計ムーブメント１３がゼンマイを有した機械式の腕時計１０である場合には、前記基準位置（零段位置とも称する）での竜頭２５の回転操作により、ゼンマイを巻き上げることができる。
【００２４】
図１等に示すように胴１６には竜頭２５をガードするためのプロテクター３１がねじ３２を用いて取付けられている。プロテクター３１は、金属等の一体成形品からなり、例えば端面カバー部３１ａと、この端面カバー部３１ａの両端から折れ曲がるように連続した一対の側面カバー部３１ｂとから略コ字形状に作られている。
【００２５】
プロテクター３１は、その一対の側面カバー部３１ｂを時計外装組立１１の１２時−６時方向に配して竜頭ヘッド２７を跨ぐように配置されて胴１６の外面から突出するようにねじ止めされている。それにより、端面カバー部３１ａが竜頭ヘッド２７の端面との間に隙間を設けて前記端面を覆う位置に配置されているとともに、一対の側面カバー部３１ｂが竜頭ヘッド２７の周面との間に隙間を設けて前記周面を時計外装組立１１の１２時−６時方向から覆う位置に配置されている。
【００２６】
端面カバー部３１ａの上下部は図５に示すように円弧状に突出されていて、それにより、時計外装組立１１の厚み方向に沿う端面カバー部３１ａの幅Ｂ（図４参照）は、プロテクター３１の最大幅をなしている。したがって、時計外装組立１１の厚み方向に沿う側面カバー部３１ｂの幅は端面カバー部３１ａの幅Ｂより狭い。プロテクター３１は竜頭２５の操作を許容するものであって、そのために、時計外装組立１１の厚み方向に沿うプロテクター３１の各部の幅は、竜頭ヘッド２７の径Ａ（図４参照）より狭くなっている。
【００２７】
図４に示すように端面カバー部３１ａには、プロテクター３１にロック機構３５を操作可能に設けるための回り止め部３３と固定孔３４とが形成されている。図５に例示したように回り止め部３３は、角孔、具体的には正六角形の非円形孔で形成されている。この回り止め部３３は、時計外装組立１１の９時−３時方向に沿う端面カバー部３１ａの厚みの内で竜頭ヘッド２７側に寄せて設けられている。固定孔３４は回り止め部３３より大径の丸孔からなる。回り止め部３３及び固定孔３４互いに連続して段付き状の孔をなし、この孔は端面カバー部３１ａを厚み方向に貫通している。
【００２８】
ロック機構３５は、操作部３６と、螺旋体３７と、ロック部材３８とを備えて形成されている。
【００２９】
図４等に示すように操作部３６は、手回し式のものであって、例えばダイヤルのような円形状をなしているとともに、その中央部に段付き状の取付け軸３６ａを突設して形成されている。螺旋体３７は円筒の外周に雄ねじを設けて形成されている。この螺旋体３７は取付け軸３６ａの小径軸部の外周に圧入して取付けられているとともに、この圧入において取付け軸３６ａの大径軸部で軸方向に位置決めされている。螺旋体３７の外径は取付け軸３６ａの大径軸部より大きい。
【００３０】
操作部３６及び螺旋体３７は、竜頭ヘッド２７の端面に接離する方向の移動を制限されてプロテクター３１に回転可能に取付けられている。そのために保持部材３９が用いられている。保持部材３９は、固定孔３４の内周に圧入により固定されていて、その中央部取付け軸３６ａの大径軸部の外周に嵌合する中心孔３９ａを有している。操作部３６の直径Ｃ（図４参照）は、プロテクター３１の幅、具体的には端面カバー部３１ａの幅Ｂ以下である。
【００３１】
次に、端面カバー部３１ａに操作部３６及び螺旋体３７を取付ける手順を説明する。まず、固定孔３４に保持部材３９を圧入する。この後、保持部材３９の中心孔３９ａに操作部３６の取付け軸３６ａを挿入して、この取付け軸３６ａの大径軸部を中心孔３９ａに嵌合させる。最後に、螺旋体３７が取付け軸３６ａの大径軸部に当たって位置決めされるまで、この螺旋体３７を取付け軸３６ａの小径軸部に圧入する。これにより、取付け軸３６ａの大径軸部の長さと保持部材３９の板厚の差に相当する若干の移動を許されるが、それ以上の移動が保持部材３９をストッパーとして妨げられる状態に組立てられる。
【００３２】
中心孔３９ａは丸孔であり、取付け軸３６ａの大径軸部の外周は円形であって、操作部３６とこれに一体に連結された螺旋体３７は、中心孔３９ａを中心として周方向に回転可能である。ロック部材３８は、内周に雌ねじ部を有した筒状の金属製ナットで形成されていて、螺旋体３７の外周に螺合されている。ロック部材３８の外周は回り止め部３３の形状に合わせた非円形形状、例えば正六角形（図５参照）に形成されている。このロック部材３８は回り止め部３３に嵌合されている。
【００３３】
したがって、ロック部材３８は、操作部３６が手回しされることにより、螺旋体３７の軸方向、言い換えれば、竜頭ヘッド２７の端面に接離される方向に直線運動される。この直線運動によりロック部材３８が、図２に示すロック位置と図３に示すロック解除位置とにわたって移動されるようになっている。ロック位置は竜頭２５が引き動かされる操作を制限する位置であり、ロック解除位置は竜頭２５が引き動かされる操作を許す位置である。ロック位置ではロック部材３８の先端が竜頭ヘッド２７の端面に近接される。なお、当接させてもよい。
【００３４】
ロック部材３８の端面はこれに取付けた弾性部材４０で覆われている。弾性部材４０はロック部材３８の端面に代えて竜頭ヘッド２７の端面に装着してもよい。又、弾性部材４０は省略することもできる。しかし、弾性部材４０を備えることは以下の点で好ましい。使用者がロック部材３８をロック位置に配置させる際、過度に操作部３６が回転操作されることがある。この場合、弾性部材４０が竜頭ヘッド２７とロック部材３８との間に挟まれるので、竜頭ヘッド２７の端面の傷付きを防止できる。更に、前記挟み込みに伴う弾性部材４０の弾性変形により、ロック部材３８が押戻される力を受けて螺合部での噛み合い隙間が消失するので、振動等でロック部材３８が不用意に弛み方向に回転されることが抑制されて、ロック解除位置側にロック部材３８が不用意に移動されることを防止できる。
【００３５】
前記構成を備えた腕時計１０のロック部材３８は、通常、図２及び図４の中心線Ｆ−Ｆの上側に描いたロック位置に配置されている。この配置状態で竜頭２５を引き動かそうとすると、直ちに弾性部材４０を介してロック部材３８に当たるようになるので、それ以上は竜頭２５を引き動かすことができない。そのため、通常使用時に腕時計１０が落下して衝撃を受けても、それによって竜頭２５がそれを使用者が引き動かす方向に不用意に胴１６から突出されることを防止できる。
【００３６】
本実施形態では、前記ロック状態において弾性部材４０と竜頭ヘッド２７の端面との間に僅かな隙間が形成されて、竜頭ヘッド２７の回転を拘束していないので、基準位置（零段位置）に配置されている竜頭２５の竜頭ヘッド２７を回転操作することは可能である。このため、例えば時計ムーブメント１３がゼンマイを有した機械式の腕時計１０である場合に、竜頭２５の回転操作によりゼンマイを巻き上げることができる、という事例で代表されるように、前記基準位置で与えられる時計機能を竜頭２５の回転操作により発揮できる。又、仮に、弾性部材４０が竜頭ヘッド２７に当たっている場合であっても、螺旋体３７が弛む方向、つまり、竜頭ヘッド２７から離れる方向に操作部３６を多少回転操作した後に、同様に基準位置で竜頭２５を回転操作することが可能である。
【００３７】
なお、以上のように竜頭２５のプロテクター３１にロック機構３５を取付けて、竜頭２５をロックしたので、竜頭２５をロックするためにねじロック構造が不要となる。したがって、加工が面倒なねじ部付き巻真パイプ及び竜頭を使用しないで済む点で好ましい。
【００３８】
時刻合わせ等をする場合には、まず、操作部３６を手回し操作することにより、ロック部材３８を、竜頭ヘッド２７から離れる方向に移動させて図３及び図４の中心線Ｆ−Ｆの下側に描いたロック解除位置に配置させる。これにより、図４図中寸法Ｄで示す長さのスペースが形成されるので、このスペースに竜頭ヘッド２７を一段又は二段引き動かしてから、竜頭２５を回転することができる。
【００３９】
この操作の際に誤って腕時計１０を落とした場合、竜頭２５は前記スペースの範囲では移動可能であるが、それ以上、竜頭２５が胴１６から突出するように移動することは、竜頭ヘッド２７が弾性部材４０を介してロック部材３８に当たって妨げられる。
【００４０】
以上のようにプロテクター３１に取付けたロック機構３５により、そのロック部材３８がロック位置又はロック解除位置のいずれにあっても、衝撃の作用により、竜頭２５がそれを使用者が引き動かす方向に不用意に胴１６から異常に突出されることを防止できる。
【００４１】
そして、既述のようにロック機構３５にはそのロック部材３８が操作部３６により回転される螺旋体３７の回転により直線運動する構成を採用したから、仮に、螺旋体３７が振動や衝撃等で不用意に回転されても、その回転に伴うロック部材３８の動きは螺旋体３７の螺旋のピッチに依存して小さく、一挙にロック部材３８が移動されることがない。このため、竜頭２５が引き動かされる方向に不用意に移動され得る状態となることが抑制されて、ロック部材３８による竜頭２５の不用意な移動止め機能を長期間にわたり維持できる。
【００４２】
しかも、螺旋体３７を回転させることによりロック部材３８を直線運動させてこのロック部材３８の位置を容易に変えることができる。このため、ロック部材３８がロック位置から多少でも外れる方向に移動された場合に、操作部３６を操作して、螺旋体３７を締める方向、つまり、竜頭ヘッド２７に寄る方向に回転させて、ロック部材３８をロック位置に戻すことができる。したがって、ロック部材３８が不用意に動かされた場合に、このロック部材３８を容易に戻すことができる。
【００４３】
又、既述のように竜頭ヘッド２７の径Ａと、プロテクター３１の端面カバー部３１ａの幅Ｂと、操作部３６の径Ｃとは、Ｃ≦Ｂ＜Ａの関係にある。このため、竜頭２５を引き動かす操作及び竜頭２５を回転する操作において、端面カバー部３１ａ及び操作部３６が邪魔になり難く、容易に操作できる。
【００４４】
更に、ロック機構３５の操作部３６はレバーではなく円形のダイヤル状をなしているので、腕時計１０を例えば被服のポケット等に出し入れする場合に、操作部３６がポケットの縫い目等に引っ掛かり難い。同様に、ロック機構３５のロック部材３８は、コ字状のプロテクター３１の内側に位置されているので、この点でも、ロック機構３５がポケットの縫い目等に引っ掛かり難い。
【００４５】
しかも、ロック機構３５の操作部３６及び螺旋体３７は軸方向移動が制限されているので、ロック部材３８をロック位置に配置した時にも、ロック解除位置に配置した時にも、操作部３６及び螺旋体３７の位置には変化がない。そのため、誤ってロック部材３８をロック解除位置に配置したままの状態で携帯されることがあっても、操作部３６が邪魔になり難く、かつ、ポケット等に出し入れしても操作部３６がポケットの縫い目等に引っ掛かり難い。
【００４６】
なお、腕時計の製造者にとっては、複数種類の胴に、ねじ３２がねじ込み可能となるねじ孔を共通の規格で設けて置くとともに、時計ムーブメント１３の竜頭２５の移動機能（例えば竜頭２５が基準位置から一段の引き出しのみができる機能、竜頭２５が基準位置から一段及び二段の引き出しができる機能等）に応じて異なる寸法・形状・色調の複数種類のプロテクター３１にねじ３２が通る孔を共通の規格で設けて置く場合には、胴１６に対するプロテクター３１の選択的組み合わせによって、様々な商品形態の腕時計１０を展開することが可能である。これとともに、使用者に対してはロック機構３５付きのプロテクター３１をオプション部品として提供できる。又、前記規格の腕時計１０を複数所有する使用者にとっては、ＴＰＯに適合するプロテクター３１を付け替えて使用することも可能となる。
【００４７】
図６は本発明の他の実施形態を示している。この実施形態では、前記一実施形態の側面カバー部に相当する部位を、胴１６の外面に一体に突設して、これらの部位をねじ受け部１６ｄとしている。そして、プロテクター３１を前記一実施形態の端面カバー部に相当する部位のみで形成しており、このプロテクター３１の両端部をねじ３２でねじ止め部１６ｄに固定している。
【００４８】
以上説明した点以外の構成は図６に示されない部分を含めて前記一実施形態と同じであるので、同一部分には前記一実施形態と同じ符号を付して説明を省略する。したがって、この他の実施形態においても、プロテクター３１にロック機構３５を取付けたことにより、本発明の課題を解決することができる。
【００４９】
なお、本発明でロック部材３８を回り止めする手段は前記一実施形態に限定されない。例えば、ロック部材３８の外周を円形とし、この外周に直線状の凸条等の回り止め凸部又は直線状の回り止め溝条を複数設け、ロック部材３８が嵌入されるプロテクター３１の円形孔にも直線状の回り止め溝条又は直線状の凸条等の回り止め凸部を複数設けてもよい。回り止め凸部と回り止め溝条との内の少なくとも回り止め溝条は、竜頭ヘッド２７の端面に接離する方向に延びて形成されるとともに、回り止め凸部と回り止め溝条とは互いに摺動可能に嵌合される。
【図面の簡単な説明】
【００５０】
【図１】本発明の一実施形態に係る腕時計を示す正面図。
【図２】竜頭をロックした状態で図１中Ｘ−Ｘ線に沿って示す断面図。
【図３】竜頭のロックを解除した状態で図１中Ｘ−Ｘ線に沿って示す断面図。
【図４】図１の携帯時計の竜頭まわりを拡大して示す断面図。
【図５】図４中Ｙ−Ｙ線に沿って示す断面図。
【図６】本発明の他の実施形態に係る腕時計を示す正面図。
【符号の説明】
【００５１】
１０…腕時計（携帯時計）
１１…時計外装組立
１６…胴
２２…巻真パイプ
２５…竜頭
２７…竜頭ヘッド
３１…プロテクター
３１ａ…プロテクターの端面カバー部
３１ｂ…プロテクターの側面カバー部
３２…ねじ
３３…回り止め部
３５…ロック機構
３６…操作部
３７…螺旋体
３８…ロック部材
４０…弾性部材
Ａ…竜頭ヘッドの幅
Ｂ…端面カバー部の幅
Ｃ…操作部の幅
【図１】
2008076068.tif 000003
【図２】
2008076068.tif 000004
【図３】
2008076068.tif 000005
【図４】
2008076068.tif 000006
【図５】
2008076068.tif 000007
【図６】
2008076068.tif 000008